(57)【要約】【課題】光ディスクが装置内に存在したままメイン電源がオフとなることを防げる光ディスク装置を提供する。【解決手段】リモコンにおいてメイン電源オフ操作がされると、メインマイコン１２は、ＬＤ４からレーザビームを射出させ、ＲＦアンプ１０が生成する反射光量信号のレベルをしきい値と比較し、もし反射光量信号のレベルがしきい値よりも大きければ、ローディングモータ７を駆動させてトレイを開け、トレイ上の光ディスクが取り去られ、トレイが押し込まれると、ローディングモータ７を駆動させてトレイを閉め、サブマイコン１３がメイン電源をオフとし、もし反射光量信号のレベルがしきい値以下であれば、サブマイコン１３がメイン電源をオフとする。【選択図】図１
2007265489.tif 000002
【特許請求の範囲】
【請求項１】
光ビームを射出する光源と、該光源が射出した光ビームを光ディスクに集光させる対物レンズと、前記光ディスクで反射された光ビームを受光し電気信号に変換する受光手段と、を有する光ピックアップと、前記電気信号に基づき反射光量信号を生成する反射光量信号生成手段と、光ディスクを外部へ排出させる排出手段と、制御手段と、を備え、
操作手段においてメイン電源をオフとする操作がされると、前記制御手段は、前記光ピックアップを光ディスク最内周位置に移動させ、前記光源に光ビームを射出させ、前記反射光量信号のレベルを所定のしきい値と比較し、
もし前記反射光量信号のレベルが前記しきい値よりも大きい場合は、前記制御手段は、前記排出手段を動作させ、その後、メイン電源をオフとし、
もし前記反射光量信号のレベルが前記しきい値以下である場合は、前記制御手段は、メイン電源をオフとする、
ことを特徴とする光ディスク装置。
【請求項２】
光ディスクを外部へ排出させる排出手段と、制御手段と、を備え、
操作手段においてメイン電源をオフとする操作がされると、前記制御手段は、光ディスクが光ディスク装置内に存在するか否かを判定し、
もし光ディスクが存在すると判定した場合は、前記制御手段は、前記排出手段を動作させ、その後、メイン電源をオフとし、
もし光ディスクが存在しないと判定した場合は、前記制御手段は、メイン電源をオフとする、
ことを特徴とする光ディスク装置。
【請求項３】
光ビームを射出する光源と、該光源が射出した光ビームを光ディスクに集光させる対物レンズと、前記光ディスクで反射された光ビームを受光し電気信号に変換する受光手段と、を有する光ピックアップと、前記電気信号に基づき反射光量信号を生成する反射光量信号生成手段と、光ディスクを外部へ排出させる排出手段と、制御手段と、を備え、
操作手段においてメイン電源をオフとする操作がされると、前記制御手段は、前記光源に光ビームを射出させ、前記反射光量信号のレベルを所定のしきい値と比較し、
もし前記反射光量信号のレベルが前記しきい値よりも大きい場合は、前記制御手段は、前記排出手段を動作させ、その後、メイン電源をオフとし、
もし前記反射光量信号のレベルが前記しきい値以下である場合は、前記制御手段は、メイン電源をオフとする、
ことを特徴とする光ディスク装置。
【発明の詳細な説明】
【技術分野】
【０００１】
本発明は、光ディスク装置に関する。
【背景技術】
【０００２】
従来から、ＤＶＤレコーダやＤＶＤプレーヤ等の光ディスク装置の使用後、ユーザはリモコン操作等によりメイン電源をオフとする。このとき、光ディスクが装置内に存在する状態でもそのままメイン電源がオフとなっていた。なお、本発明に関するものとして、電源オフ時の光ディスク装置の動作について特許文献１に開示されている。
【特許文献１】公開実用昭６３−１３４５９号公報
【発明の開示】
【発明が解決しようとする課題】
【０００３】
しかし、上記従来の光ディスク装置では、メイン電源をオフとして装置をユーザが持ち運ぶ場合、装置内の光ディスクが傷つくという問題がある。また、メイン電源を再びオンとすると装置内の光ディスクをマウントするような光ディスク装置の場合は、マウントの間ユーザは何ら操作ができないため不便であった。
【０００４】
上記問題点を鑑み、本発明は、光ディスクが装置内に存在したままメイン電源がオフとなることを防げる光ディスク装置を提供することを目的とする。
【課題を解決するための手段】
【０００５】
上記目的を達成するために本発明の光ディスク装置は、光ディスクを外部へ排出させる排出手段と、制御手段と、を備え、
操作手段においてメイン電源をオフとする操作がされると、前記制御手段は、光ディスクが光ディスク装置内に存在するか否かを判定し、
もし光ディスクが存在すると判定した場合は、前記制御手段は、前記排出手段を動作させ、その後、メイン電源をオフとし、
もし光ディスクが存在しないと判定した場合は、前記制御手段は、メイン電源をオフとする、
ことを特徴とする。
【０００６】
このような構成によれば、光ディスクが装置内に存在したままメイン電源がオフとなることを防げる。
【０００７】
より具体的に本発明の光ディスク装置は、光ビームを射出する光源と、該光源が射出した光ビームを光ディスクに集光させる対物レンズと、前記光ディスクで反射された光ビームを受光し電気信号に変換する受光手段と、を有する光ピックアップと、前記電気信号に基づき反射光量信号を生成する反射光量信号生成手段と、光ディスクを外部へ排出させる排出手段と、制御手段と、を備え、
操作手段においてメイン電源をオフとする操作がされると、前記制御手段は、前記光源に光ビームを射出させ、前記反射光量信号のレベルを所定のしきい値と比較し、
もし前記反射光量信号のレベルが前記しきい値よりも大きい場合は、前記制御手段は、前記排出手段を動作させ、その後、メイン電源をオフとし、
もし前記反射光量信号のレベルが前記しきい値以下である場合は、前記制御手段は、メイン電源をオフとする、
構成をとればよい。
【０００８】
また、上記構成において、操作手段においてメイン電源をオフとする操作がされると、前記制御手段は、前記光ピックアップを光ディスク最内周位置に移動させてから、前記光源に光ビームを射出させることが望ましい。これによれば、光ディスクが反っている場合でも、光ビームは反りがない光ディスクの最内周部に照射され反射されるので、確実に光ディスクが装置内に存在すると判定され、誤動作を防げる。
【発明の効果】
【０００９】
本発明の光ディスク装置によれば、光ディスクが装置内に存在したままメイン電源がオフとなることを防げる。
【発明を実施するための最良の形態】
【００１０】
以下、本発明の実施形態について図面を参照し説明する。図１は、本発明に係る光ディスク装置の一部構成を示すブロック図である。
【００１１】
光ピックアップ２は、対物レンズ３、ＬＤ（レーザダイオード）４、受光部５を有する。ＬＤ４はレーザビームを射出する。対物レンズ３はＬＤ４が射出したレーザビームを光ディスク１に集光させる。受光部５は、光ディスク１で反射され対物レンズ３を通過したレーザビームを受光し電流信号に変換する。スレッドモータ６は駆動することにより光ピックアップ２を光ディスク半径方向に移動させる。ローディングモータ７は駆動することにより、光ディスク１が載置される不図示のトレイを開閉する。
【００１２】
サーボ回路８は、ＲＦアンプ１０が生成するフォーカスサーボエラー信号やトラッキングエラー信号に基づき光ピックアップ２が有する不図示のアクチュエータに駆動信号を送出し、対物レンズ３を光ディスク面垂直方向および光ディスク半径方向に駆動させる。また、サーボ回路８は、スレッドモータ６に駆動信号を送出しスレッドモータ６を駆動させる。
【００１３】
ＬＤドライバ９は、ＬＤ４に駆動信号を送出しＬＤ４を駆動させる。ＲＦアンプ１０は、受光部５からの電流信号に基づきフォーカスエラー信号、トラッキングエラー信号、反射光量信号を生成する。モータドライバ１１は、ローディングモータ７に駆動信号を送出しローディングモータ７を駆動させる。
【００１４】
メインマイコン１２は、各部を制御し、サブマイコン１３と通信を行う。サブマイコン１３は、メインマイコン１３と通信を行い、メイン電源のオンオフ制御をする。リモコン受信部１４は、不図示のリモコンから赤外線信号を受信しコード信号をサブマイコン１３に送出する。
【００１５】
以上のような構成の光ディスク装置の本発明の特徴となるメイン電源オフ時の動作について、以下図２に示すフローチャートに沿って説明する。
【００１６】
まずステップＳ２０で、不図示のリモコンにおいてメイン電源オフ操作がされると、サブマイコン１３はリモコン受信部１４から該操作に対応するコード信号を受信し、メインマイコン１２にその旨を伝える。
【００１７】
するとステップＳ２１で、メインマイコン１２は、光ピックアップ２を光ディスク最内周位置まで移動させるようサーボ回路８に指示し、サーボ回路８は駆動信号をスレッドモータ６に送出し、光ピックアップ２が光ディスク最内周位置へ向かって移動する。そして、光ピックアップ２が光ディスク最内周位置に到達したことをサーボ回路８が検出すると、サーボ回路８は、スレッドモータ６に駆動信号を送出するのを停止し、その旨をメインマイコン１２に伝える。
【００１８】
そして、ステップＳ２２で、メインマイコン１２は、ＬＤ４に駆動信号を送出するようＬＤドライバ９に指示し、ＬＤ４は再生用パワーでレーザビームを射出する。
【００１９】
そして、ステップＳ２３で、メインマイコン１２は、ＲＦアンプ１０で生成される反射光量信号のレベルと所定のしきい値とを比較する。ここで、しきい値は、光ディスク装置に対応する複数の種類の光ディスクのうち反射率が最も小さな光ディスクにレーザビームを照射し、そのときの反射光量信号のレベルを測定し、該測定値と光ディスクがない場合に測定される反射光量信号のレベルとの間に設定される。
【００２０】
もし、反射光量信号のレベルがしきい値よりも大きければ（ステップＳ２３のＹ）、光ディスク１が光ディスク装置内に存在するということであるから、ステップＳ２４に進み、メインマイコン１２は、駆動信号をローディングモータ７に送出するようモータドライバ１１に指示し、ローディングモータ７の駆動により光ディスクが載置された不図示のトレイが開く。
【００２１】
そして、ステップＳ２５で、ユーザがトレイに載置された光ディスクを取り去り、トレイを光ディスク装置内部側へ押し込みと、ローディングモータ７に発生する逆起電力をメインマイコン１２が検出し、ステップＳ２６に進む。
【００２２】
そして、ステップＳ２６で、メインマイコン１２は、駆動信号をローディングモータ７に送出するようモータドライバ１１に指示し、ローディングモータ７の駆動によりトレイが閉まる。そして、ステップＳ２７で、メインマイコン１２がサブマイコン１３にメイン電源オフをするよう指示し、サブマイコン１３は、メイン電源をオフとする。
【００２３】
また、上記ステップＳ２３で、反射光量信号のレベルがしきい値以下であれば（ステップＳ２３のＮ）、光ディスクが光ディスク装置内に存在しないということであるから、ステップＳ２８に進み、メインマイコン１２がサブマイコン１３にメイン電源オフをするよう指示し、サブマイコン１３は、メイン電源をオフとする。
【００２４】
以上によれば、光ディスクが光ディスク装置内に存在したままメイン電源がオフとなることを防ぐことができる。また、光ディスクが反っている場合でも、光ビームは反りがない光ディスクの最内周部に照射され反射されるので、確実に光ディスクが装置内に存在すると判定され、誤動作を防げる。
【００２５】
なお、以上では光ディスクの装置内での有無をレーザビームの照射により判定したが、例えば、トレイが閉まったときに光ディスクがトレイに載置されていればメモリ上にフラグを立て、載置されていなければフラグを立てないようにし、メイン電源オフ操作時、メインマイコン１２がメモリ上のフラグを参照し、光ディスクの有無を判定するようにしてもよい。また、その他の方法を用いても良い。
【図面の簡単な説明】
【００２６】
【図１】は、本発明に係る光ディスク装置のブロック図である。
【図２】は、本発明に係るメイン電源オフ時の動作を示すフローチャートである。
【符号の説明】
【００２７】
１    光ディスク
２    光ピックアップ
３    対物レンズ
４    レーザダイオード
５    受光部
６    スレッドモータ
７    ローディングモータ
８    サーボ回路
９    ＬＤドライバ
１０    ＲＦアンプ
１１    モータドライバ
１２    メインマイコン
１３    サブマイコン
１４    リモコン受信部
【図１】
2007265489.tif 000003
【図２】
2007265489.tif 000004